(57)【要約】【課題】待機時間の発生や誤報知を防止し、且つ居住者が必要と考えるときにのみ防犯用の異常検知を行うモードに設定することのできるセキュリティシステムを提供する。【解決手段】予約ボタンが押圧操作される（♯１でＹＥＳ）と、親機において、当該システムを待機モードに設定し（♯２）、子機において居住者による施錠操作により入力されたＩＤ情報が登録されたものであるとき（ステップ♯５でＹＥＳ）、そのＩＤ情報及び照合結果信号を親機に送信し（♯６）親機は、この照合結果信号を受けて、施錠指示信号を電気錠駆動ユニットに送信する（♯１０）。そして、電気錠駆動ユニットは扉の開閉を規制し（♯１２）、施錠実施信号を親機に送信する（♯１３）。親機は、この施錠実施信号を受けて当該システムをセキュリティモードに設定する（♯１５）。【選択図】      図７
2004355152.tif 000002
【特許請求の範囲】
【請求項１】
扉の施錠と解錠とを行う電気錠と通信可能に接続され、
防犯用の異常検出を行う１または複数の異常検出センサに該異常検出を行わせるセキュリティモードの設定と、該セキュリティモードの解除とを行うモード設定部と、
前記モード設定部に前記セキュリティモードの設定を待機させる指示を入力するための操作部と、
前記電気錠に対する施錠操作または解錠操作が行われると、前記電気錠の動作を制御する施解錠制御部とを備え、
前記モード設定部は、前記操作部が操作されると、前記電気錠による施錠動作が行われるまで前記セキュリティモードの設定動作を待機し、前記電気錠による施錠動作が行われると前記セキュリティモードに設定することを特徴とするインターホン親機。
【請求項２】
前記モード設定部は、前記電気錠による解錠動作が行われると、前記セキュリティモードを解除することを特徴とする請求項１に記載のインターホン親機。
【請求項３】
前記モード設定部により前記セキュリティモードが設定及び／または解除されると、その旨を報知する報知部を備えることを特徴とする請求項１または２に記載のインターホン親機。
【請求項４】
前記報知部は、音を出力する音出力部であることを特徴とする請求項３に記載のインターホン親機。
【請求項５】
前記報知部は、光を出力する発光部であることを特徴とする請求項３に記載のインターホン親機。
【請求項６】
前記電気錠が照合対象に係る情報を取り込みその照合結果に応じて施錠動作または解錠動作を行う場合に、照合対象に係る情報と画像とを予め対応させて記憶する記憶部と、前記電気錠に取り込まれた照合対象に係る情報が前記記憶部に記憶されているとき、この照合対象に対応する画像を表示する画像表示部とを備えることを特徴とする請求項１ないし５のいずれかに記載のインターホン親機。
【請求項７】
前記電気錠が照合対象に係る情報を取り込みその照合結果に応じて施錠動作または解錠動作を行う場合に、照合対象に係る情報と報知音データとを予め対応させて記憶する記憶部と、前記電気錠に取り込まれた照合対象に係る情報が前記記憶部に記憶されているとき、この照合対象に対応する報知音データに基づく報知音を出力する報知音出力部とを備えることを特徴とする請求項１ないし６のいずれかに記載のインターホン親機。
【請求項８】
防犯用の異常検出を行う１または複数の異常検出センサとインターホン親機とドアホン子機と電気錠とが通信可能に構成されたセキュリティシステムにおいて、
前記インターホン親機は、請求項１ないし７のいずれかに記載のインターホン親機であり、
前記ドアホン子機は、施錠操作または解錠操作により入力される照合対象の情報を取得する情報取得部を備え、
前記電気錠は、照合対象に係る情報を取り込みその照合結果に応じて施錠動作または解錠動作を行うものである
を備えることを特徴とするセキュリティシステム。
【発明の詳細な説明】
【０００１】
【発明の属する技術分野】
本発明は、住宅やビルに構築されるセキュリティシステムの技術分野に属し、特に、電気信号による指令によりドア等の施解錠を自動的に行う電気錠を備えたものに関する。
【０００２】
【従来の技術】
住宅やビルに構築されるセキュリティシステムとして、例えば、下記特許文献１に記載されたものがある。
【０００３】
この特許文献１には、防犯用の異常検知を行うための防犯センサと、家屋内に設置される制御ユニットと、屋外に設置される防犯表示盤と、電気信号による指令によりドア等の施解錠を自動的に行う電気錠とを備え、防犯表示盤に備えられるカードデータ読取器でＩＤカードの適正なＩＤコードを読み取ったときに、防犯センサを警戒モードとその解除モードとの間で切り替えるとともに、警戒モードの設定と同時に電気錠の施錠を行い、警戒モードの解除と同時に電気錠の解錠を行うように構成したセキュリティシステムが記載されている。
【０００４】
【特許文献１】
特開平５−３２１５２３号公報
【０００５】
【発明が解決しようとする課題】
しかしながら、特許文献１にあっては、例えばごみを出しにいくとか、近隣の家に物を渡しに行く等、僅かな時間だけ住戸を離れる際は、念のため玄関ドアを施錠するものの、警戒モードに設定するほどでもないと考える居住者が存在する場合に対応することはできない。
【０００６】
一方、警戒モードに設定する入力を行うための操作装置を室内に配設し、この操作装置を操作すると直ちにこの警戒モードに設定されるように構成した場合、居住者が住戸の外に出て施錠するまでに、防犯センサはすでに作動状態となっているから、それまでの居住者の行動によって防犯センサが反応し、異常が発生したものとして例えば警備センターに報知されることとなる。
【０００７】
また、警戒モードに設定する入力を行うための操作装置を室内に配設し、この操作装置を操作してから一定時間待機してから警戒モードに設定するように構成した場合には、前述のような誤報知が低減されるが、その待機動作が終了するまでに居住者による施錠動作が完了すると、居住者は、警戒モードに設定されたか否かを確認するためには待機しなければならない。
【０００８】
本発明は、このような事情に鑑みてなされたものであり、上記のような待機時間の発生や誤報知を防止し、且つ居住者が必要と考えるときにのみ防犯用の異常検知を行うモードに設定することのできるセキュリティシステムを提供することを目的とする。
【０００９】
【課題を解決するための手段】
請求項１に記載の発明は、扉の施錠と解錠とを行う電気錠と通信可能に接続され、防犯用の異常検出を行う１または複数の異常検出センサに該異常検出を行わせるセキュリティモードの設定と、該セキュリティモードの解除とを行うモード設定部と、前記モード設定部に前記セキュリティモードの設定を待機させる指示を入力するための操作部と、前記電気錠に対する施錠操作または解錠操作が行われると、前記電気錠の動作を制御する施解錠制御部とを備え、前記モード設定部は、前記操作部が操作されると、前記電気錠による施錠動作が行われるまで前記セキュリティモードの設定動作を待機し、前記電気錠による施錠動作が行われると前記セキュリティモードに設定することを特徴とするインターホン親機である。
【００１０】
この発明によれば、モード設定部は、操作部が操作されると、電気錠による施錠動作が行われるまでセキュリティモードの設定動作を待機し、電気錠による施錠動作が行われるとセキュリティモードに設定するようにしたので、従来のような待機時間の発生や誤報知を防止し、且つ居住者が必要と考えて操作部が操作されたときにのみ防犯用の異常検知を行うモードに設定することができる。
【００１１】
請求項２に記載の発明は、請求項１に記載のインターホン親機において、前記モード設定部は、前記電気錠による解錠動作が行われると、前記セキュリティモードを解除することを特徴とするものである。
【００１２】
この発明によれば、電気錠による解錠動作が行われると、セキュリティモードを解除するようにしたので、電気錠の解錠とセキュリティモードの解除とが異なる操作で実行される構成に比して、操作の手間を省くことができる。
【００１３】
請求項３に記載の発明は、請求項１または２に記載のインターホン親機において、前記モード設定部により前記セキュリティモードが設定及び／または解除されると、その旨を報知する報知部を備えることを特徴とするものである。
【００１４】
この発明によれば、セキュリティモードが設定及び／または解除されると、その旨を報知する報知部を備えるようにしたので、居住者は、セキュリティモードの設定やその解除がなされたことを確認することができる。
【００１５】
請求項４に記載の発明は、請求項３に記載のインターホン親機において、前記報知部は、音を出力する音出力部であることを特徴とするものである。
【００１６】
この発明によれば、報知部を、音を出力する音出力部としたので、居住者は、セキュリティモードの設定やその解除がなされたことを聴覚的に確認することができる。
【００１７】
請求項５に記載の発明は、請求項３に記載のインターホン親機において、前記報知部は、光を出力する発光部であることを特徴とするものである。
【００１８】
この発明によれば、報知部を、光を出力する発光部としたので、居住者は、セキュリティモードの設定やその解除がなされたことを視覚的に確認することができる。
【００１９】
請求項６に記載に発明は、請求項１ないし５のいずれかに記載のインターホン親機において、前記電気錠が照合対象に係る情報を取り込みその照合結果に応じて施錠動作または解錠動作を行う場合に、照合対象に係る情報と画像とを予め対応させて記憶する記憶部と、前記電気錠に取り込まれた照合対象に係る情報が前記記憶部に記憶されているとき、この照合対象に対応する画像を表示する画像表示部とを備えることを特徴とする。
【００２０】
この発明によれば、電気錠に取り込まれた照合対象に係る情報が前記記憶部に記憶されているとき、この照合対象に対応する画像を画像表示部に表示するようにしたので、施錠操作または解錠操作を行っている者を、室内にいる者に視覚的に知らせることができる。
【００２１】
請求項７に記載の発明は、請求項１ないし６のいずれかに記載のインターホン親機において、前記電気錠が照合対象に係る情報を取り込みその照合結果に応じて施錠動作または解錠動作を行う場合に、照合対象に係る情報と報知音データとを予め対応させて記憶する記憶部と、前記電気錠に取り込まれた照合対象に係る情報が前記記憶部に記憶されているとき、この照合対象に対応する報知音データに基づく報知音を出力する報知音出力部とを備えることを特徴とするものである。
【００２２】
この発明によれば、電気錠に取り込まれた照合対象に係る情報が前記記憶部に記憶されているとき、この照合対象に対応する報知音データに基づく報知音を報知音出力部により出力するようにしたので、施錠操作または解錠操作を行っている者を、室内にいる者に視覚的に知らせることができる。
【００２３】
請求項８に記載の発明は、防犯用の異常検出を行う１または複数の異常検出センサとインターホン親機とドアホン子機と電気錠とが通信可能に構成されたセキュリティシステムにおいて、前記インターホン親機は、請求項１ないし７のいずれかに記載のインターホン親機であり、前記ドアホン子機は、施錠操作または解錠操作により入力される照合対象の情報を取得する情報取得部を備え、前記電気錠は、照合対象に係る情報を取り込みその照合結果に応じて施錠動作または解錠動作を行うものであることを特徴とするセキュリティシステムである。
【００２４】
この発明によれば、インターホン親機の操作部が操作されると、電気錠による施錠動作が行われるまでセキュリティモードの設定動作を待機し、電気錠による施錠動作が行われるとセキュリティモードに設定するようにしたので、従来のような待機時間の発生や誤報知を防止し、且つ居住者が必要と考えて操作部が操作されたときにのみ防犯用の異常検知を行うモードに設定できるセキュリティシステムを構築することができる。
【００２５】
【発明の実施の形態】
以下、本発明に係る実施形態を図面に基づいて説明する。
【００２６】
図１は、セキュリティシステム１の構成を示す図である。
【００２７】
図１に示すように、セキュリティシステム１は、インターホン親機（以下、「親機」と略記する。）２と、親機２に接続されるドアホン子機（以下、「子機」と略記する。）３と、例えば玄関の扉を施錠／解錠する電気錠４と、複数の異常検出センサ５とを備えてなる。親機２は、例えば住宅におけるリビングに設置され、子機３は、表門に設置される。なお、図１では、子機３が１個の場合を示しているが、これに限定されず、子機３は、親機２の接続端子数に応じて複数個配設可能である。
【００２８】
電気錠４は、詳細に図示しないが、例えば扉の適所に設けられ、突出位置と退避位置との間で移動可能とされ、家屋の壁の適所に形成された凹部とでロック機構を構成するロック部材と、ロック部材を突出位置と退避位置との間で駆動する後述の電気錠駆動ユニット５０と、非接触タグ４２（図５参照）に書き込まれたＩＤ情報を読み取るＩＤ情報読取装置とを備えており、読み取ったＩＤ情報が登録されているものであるとき、ロック部材を凹部に係合させて扉の開閉を規制（施錠）したり、ロック部材を凹部との係合を解除（解錠）させて扉を開閉可能としたりするように構成されている。
【００２９】
なお、本実施形態では、ＩＤ情報読取装置は後述のＩＤ情報読取部３８として子機３と一体化されている。
【００３０】
異常検出センサ５は、例えば窓の開閉を検知する開閉検知センサ、窓ガラスへの衝撃やその破壊を検知する衝撃センサ、人間の存在を感知する人体感知センサ等であり、その機能に応じて住戸の適所に設置される。異常検出センサ５により異常が検出されると、親機２から例えば警備センターにその旨が報知される。
【００３１】
図２は、親機２の構成を示すブロック図である。
【００３２】
図２に示すように、親機２は、多重分離部６と、映像信号受信部７と、表示部８と、呼出信号検出部９と、音声送受話部１０と、音入出力部１１と、呼出音発生部１２と、操作入力部１３と、制御部１４とを備えて構成される。
【００３３】
多重分離部６は、子機３から送信され多重化されている映像変調信号、呼出信号及び音声信号を分離して、それぞれ映像信号受信部７、呼出信号検出部９及び音声送受話部１０に出力すると共に、図略の直流電源及び音声送受話部１０からの音声信号を多重化して子機３に送信する。
【００３４】
映像信号受信部７は、映像変調信号を映像信号に復調して、表示部８に出力する回路である。
【００３５】
表示部８は、主に映像信号受信部７からの映像信号を画像表示する回路である。表示部８は、例えば、ＣＲＴディスプレイ、液晶ディスプレイ（ＬＣＤ）及び有機ＥＬのディスプレイ等である。
【００３６】
呼出信号検出部９は、多重分離部６で分離された呼出信号を検出して制御部１４に出力する回路である。
【００３７】
音声送受話部１０は、多重分離部６で分離された子機３からの音声信号を復調し増幅してから音入出力部１１に出力すると共に、音入出力部１１から入力された音声信号を増幅しＦＭ変調してから多重分離部６に出力する。そして、音声送受話部１０は、親機２と子機３とが通話可能の状態で、音入出力部１１からの音声信号と多重分離部６からの音声信号（ドアホン子機３からの音声信号）とのレベルを比較し、音入出力部１１からの音声信号の方のレベルが大きい場合には入力音声信号を増幅・ＦＭ変調して多重分離部６に出力し、多重分離部６からの音声信号の方のレベルが大きい場合にはこの音声信号を復調・増幅して音入出力部１１に出力する通話制御を行う。
【００３８】
音入出力部１１は、音声送受話部１０から入力された音声信号を音声に変換して再生出力すると共に、主に居住者の音声を音声信号に変換して音声送受話部１０に出力する。音入出力部１１は、例えばマイクロホン等の音声を音声信号に変換する音入力部と、例えばスピーカ等の音声信号を音声に変換する音出力部とで構成される。あるいは、例えば、音声の入出力を兼ねたスピーカで構成される。
【００３９】
呼出音発生部１２は、制御部１４からの出力に基づいて呼出音になる電気信号を発生させ、音入出力部１１に出力する回路である。
【００４０】
操作入力部１３は、親機２を操作するための指示等を入力する回路であり、入力された指示は、制御部１４に出力される。この操作入力部１３を図３に基づいて説明する。
【００４１】
図３は、親機２の外観を示す図である。
【００４２】
図３に示すように、親機２は、ケースの一方面の略中央部に音出力窓１５が配置され、音出力窓１５の上方に表示部８（図２の表示部８に相当する）が配置され、音出力窓１５の下方に通話中であることを示すランプ１６を介して通話釦１７が配置される。音出力窓１５は、親機２の内外で音を伝播させるためのものであり、例えばメッシュ状に孔を備えた開口である。
【００４３】
図３には図示されていないが、音出力窓１５の背面には、前述した音入出力部１１の音出力部（例えばスピーカ）が配置される。一方、音入出力部１１の音入力部（例えばマイクロホン）は、通話釦１７の下部に配置される。
【００４４】
通話釦１７は、親機２と子機３との間で通話の開始及び終了をオン・オフするスイッチであり、通話釦１７を操作することによって親機２が子機３と通話可能となり、通話釦１７を再び操作することによって子機３との通話が終了される。
【００４５】
音出力窓１５、ランプ１６及び通話釦１７の側方には、施解錠ボタン１８と予約ボタン１９とが上下に配置されている。
【００４６】
施解錠ボタン１８は、電気錠４の施錠及び解錠を指示する入力を行うものであり、押圧操作されるたびに、電気錠４による施錠動作及び解錠動作が交互に行われる。
【００４７】
ここで、セキュリティシステム１は、各異常検出センサ５を作動状態とし、侵入しようとする者の存在を検知するセキュリティモードを備えるが、従来では、室内に配置された所定の装置（例えば本実施形態の親機２に対応する装置）に対して所定の操作を行うと、直ちにこのセキュリティモードに設定されていた。
【００４８】
しかし、この場合、居住者が住戸外に出て施錠するまでに、異常検出センサ５はすでに作動状態となっているから、それまでの居住者の行動によって異常検出センサ５が反応し、例えば警備センターに報知されることとなる。
【００４９】
そこで、前述した所定の装置に対し所定の操作が行われた場合には、一定時間待機したのちにセキュリティモードに設定するように構成したものがある。
【００５０】
しかし、この場合、その待機動作が終了するまでに居住者による施錠動作が完了すると、居住者は、セキュリティモードに設定されたか否かを確認するためには、待機しなければならない。
【００５１】
このような不具合を解消するため、本実施形態のセキュリティシステム１においては、居住者が電気錠４を施錠するときにセキュリティモードに設定するように構成している。
【００５２】
予約ボタン１９は、セキュリティモードの設定を待機する待機モードに設定するためのボタンである。後述するように、この予約ボタン１９が操作された場合であって、電気錠４が施錠されると、その施錠時にセキュリティモードに設定される。
【００５３】
以上のように、操作入力部１３は、通話釦１７、施解錠ボタン１８及び予約ボタン１９で構成される。
【００５４】
制御部１４は、例えば制御プログラムを記憶するＲＯＭや一時的にデータを記憶するＲＡＭからなる記憶部が内蔵されたマイクロコンピュータからなり、上述した親機２内の多重分離部６、呼出信号検出部９、呼出音発生部１２及び操作入力部１３の駆動を制御するものである。
【００５５】
また、制御部１４は、機能的に、施解錠制御部２０と、施解錠実施信号受信部２１と、照合結果信号受信部２２と、モード設定部２３と、設定信号送信部２４と、解除信号送信部２５と、表示制御部２６と、報知音出力制御部２７と、画像データ記憶部２８と、報知音データ記憶部２９とを有する。
【００５６】
施解錠制御部２０は、施解錠ボタン１８が操作されたとき、待機モードに設定された状態で子機３から照合結果信号を受信したとき、及びセキュリティモードが解除されたときに、施錠指示信号又は解錠指示信号を電気錠駆動ユニット５０に出力することにより、該電気錠駆動ユニット５０によるロック機構の動作（施錠動作又は解錠動作）を制御するものである。
【００５７】
施解錠実施信号受信部２１は、電気錠駆動ユニット５０から送信される施錠を実施した旨の施錠実施信号、及び解錠を実施した旨の解錠実施信号を受信するものである。
【００５８】
照合結果信号受信部２２は、子機３から送信される照合結果信号（後述するＩＤ情報と登録されているＩＤ情報とが一致した旨の一致信号）とＩＤ情報とを受信するものである。
【００５９】
モード設定部２３は、予約ボタン１９が押圧操作されると、セキュリティモードの設定を待機する待機モードに設定し、電気錠駆動ユニット５０から施錠実施信号を受信すると、セキュリティモードに設定し、セキュリティモードが設定されている状態で子機３から照合結果信号等を受信すると、セキュリティモードを解除するものである。
【００６０】
設定信号送信部２４は、モード設定部２３によりセキュリティモードに設定されると、その旨を示す設定信号を子機３に送信するものである。
【００６１】
解除信号送信部２５は、モード設定部２３によりセキュリティモードの設定が解除されると、その旨を示す解除信号を子機３に送信するものである。
【００６２】
表示制御部２６は、セキュリティモードが設定されていない場合に、照合結果信号受信部２２により照合結果信号及びＩＤ情報が受信されると、施解錠操作を行った者を住戸内の居住者に知らせるべく、画像データ記憶部２８からＩＤ情報に対応する画像データを読み出し、その画像データに係る画像を表示部８に表示させるものである。画像は、例えばＩＤ情報に対応する居住者の顔の画像や、その居住者の名前を示す画像などである。
【００６３】
報知音出力制御部２７は、セキュリティモードが設定されていない場合に、照合結果信号受信部２２により照合結果信号が受信されると、施解錠操作を行った者を住戸内の居住者に知らせるべく、報知音データ記憶部２９からＩＤ情報に対応する報知音データを読み出し、その報知音データに係る報知音を音入出力部１１から出力させるものである。
【００６４】
画像データ記憶部２８は、ＩＤ情報に対応した画像データを記憶するものである。
【００６５】
報知音データ記憶部２９は、ＩＤ情報に対応した報知音データを記憶するものである。報知音は、例えば一定の周期で出力される電子音や、居住者の名前を知らせる音声、あるいは音楽などである。
【００６６】
次に、子機３の構成について説明する。
【００６７】
図４は、子機３の構成を示すブロック図、図５は、子機３の外観図である。
【００６８】
図４に示すように、子機３は、撮像部３０と、映像信号送信部３１と、呼出釦３２と、呼出信号発生部３３と、音声入力部３４と、音声送受話部３５と、音声出力部３６と、多重分離部３７と、ＩＤ情報読取部３８と、ランプ３９と、制御部４０とを備えて構成される。
【００６９】
撮像部３０は、被写体光像を光電変換して映像信号を出力する図略の撮像素子と、撮像素子の撮像面に被写体光像を結像させる光学系とを備えて構成される。撮像部３０の映像信号は、映像信号送信部３１に出力される。撮像素子は、受光した光をその光強度に従った電気信号に変換する複数の受光素子をマトリックス状に配置した光電変換素子であり、例えばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）の固体撮像素子等である。
【００７０】
図５に示すように、子機３は、ケースの一方面の略中央部に音出力窓４１が配置され、音出力窓４１の上方に撮像部３０（図５では光学系の対物レンズのみ図示）が配置され、音出力窓４１の下方にセキュリティモードの設定及び解除を行ったことを示すランプ３９と呼出釦３２とが配置される。音出力窓４１は、子機３の内外で音を伝播させるためのものであり、例えば長尺状の孔を複数備えた開口である。
【００７１】
図５には図示されていないが、音出力窓４１の背面には、前述した音声出力部３６（例えばスピーカ）が配置される。一方、音声入力部３４（例えばマイクロホン）は、ランプ３９の下部に配置される。
【００７２】
また、音出力窓４１の側方には、ＩＤ情報が書き込まれた非接触タグ４２（例えばＲＦＩＤ（Ｒａｄｉｏ  Ｆｒｅｑｕｅｎｃｙ  Ｉｄｅｎｔｉｆｉｃａｔｉｏｎ）タグ）の該ＩＤ情報を読み取るＩＤ情報読取部３８が配置されている。ＩＤ情報読取部３８は、非接触タグ４２とで周知の電磁誘導式の施解錠システムを構成するものであり、ＩＤ情報読取部３８は微弱電波を出力しており、このＩＤ情報読取部３８に非接触タグ４２を近づけると、非接触タグ４２はＩＤ情報読取部３８から出力される微弱電波を受信し、その電波により発生する起電力で非接触タグ４２の動作電力が確保され、非接触タグ４２に書き込まれたＩＤ等の情報がＩＤ情報読取部３８に送信される。
【００７３】
図４に戻り、映像信号送信部３１は、入力された映像信号を変調して映像変調信号として多重分離部３７に出力する回路である。
【００７４】
呼出釦３２は、親機２の音入出力部１１から呼出音を鳴動させるための呼出信号を親機２に送信させるための回路であり、例えば、押釦スイッチ等である。訪問者は、この呼出釦３２を操作することによって、住戸内の居住者に訪問者の存在があることを知らせる。
【００７５】
呼出信号発生部３３は、親機２の音入出力部１１から呼出音を鳴動させるための呼出信号を生成し、生成した呼出信号を多重分離部３７に出力する回路である。
【００７６】
音声入力部３４は、音を音声信号として電気信号に変換する回路であり、例えば、マイクロホンである。この音声信号は、音声入力部３４から音声送受話部３５を介して多重分離部３７に出力される。訪問者は、音声を音声入力部３４に入力することによって、親機２の居住者と通話する。
【００７７】
音声送受話部３５は、音声入力部３４から入力された音声信号を増幅しＦＭ変調してから多重分離部３７に出力すると共に、多重分離部３７から入力された親機２からの音声信号を復調し増幅してから音声出力部３６に出力する。
【００７８】
音声出力部３６は、電気信号を音に変換する回路であり、例えば、スピーカである。親機２から送信された音声信号は、この音声出力部３６で音声として再生され出力される。
【００７９】
多重分離部３７は、映像信号送信部３１からの映像変調信号、呼出信号発生部３３からの呼出信号、及び、音声送受話部３５からの音声信号を多重化して親機２に送信する。
【００８０】
ＩＤ情報読取部３８は、図５に示すＩＤ情報読取部３８に相当するものである。なお、例えば光等を用いて読み取る構成も採用可能である。
【００８１】
ランプ３９は、図５に示すランプ３９に相当するものであり、例えばＬＥＤ（ｌｉｇｈｔ  ｅｍｉｔｔｉｎｇ  ｄｉｏｄｅ）である。
【００８２】
制御部４０は、例えば制御プログラムを記憶するＲＯＭや一時的にデータを記憶するＲＡＭからなる記憶部が内蔵されたマイクロコンピュータからなる。
【００８３】
また、制御部４０は、機能的に、照合部４３と、照合結果信号送信部４４と、設定／解除信号受信部４５と、報知音出力制御部４６と、発光制御部４７と、ＩＤ情報記憶部４８と、報知音データ記憶部４９とを有する。
【００８４】
照合部４３は、ＩＤ情報読取部３８により読み取られたＩＤ情報が、ＩＤ情報記憶部４８に登録されたＩＤ情報と一致するか否かを照合するものである。
【００８５】
照合結果信号送信部４４は、ＩＤ情報読取部３８により読み取られたＩＤ情報が、ＩＤ情報記憶部４８に登録されたＩＤ情報と一致すると照合部４３により判定されると、その旨を示す照合結果信号とＩＤ情報とを親機２に送信するものである。
【００８６】
設定／解除信号受信部４５は、親機２から送信されるセキュリティモードの設定を実施した旨の設定信号、及びその設定の解除を実施した旨の解除信号を受信するものである。
【００８７】
報知音出力制御部４６は、設定／解除信号受信部４５により前述の設定信号または解除信号が受信されると、報知音データ記憶部４９に記憶されている報知音データを読み出し、この報知音データに係る報知音を音声出力部３６から出力させるものである。
【００８８】
発光制御部４７は、設定／解除信号受信部４５により前述の設定信号または解除信号が受信されると、ランプ３９の点灯制御を行うものである。発光制御部４７は、例えば、設定／解除信号受信部４５により前述の設定信号が受信されたとき（セキュリティモードに設定されたとき）にはランプ３９を点灯させ、解除信号が受信されたとき（セキュリティモードが解除されたとき）には、ランプ３９を消灯させる。
【００８９】
報知音データ記憶部４９は、セキュリティモードが設定または解除されたときに出力する報知音の報知音データを記憶するものである。報知音は、例えば一定の周期で出力される電子音や、居住者の名前を知らせる音声、あるいは音楽などである。
【００９０】
次に、電気錠駆動ユニット５０の構成について説明する。
【００９１】
図６は、電気錠駆動ユニット５０の構成を示すブロック図である。
【００９２】
図６に示すように、電気錠駆動ユニット５０は、施錠指示信号受信部５１と、解錠指示信号受信部５２と、駆動部５３と、施錠実施信号送信部５４と、解錠実施信号送信部５５とを備える。
【００９３】
施錠指示信号受信部５１は、親機２から送信される施錠指示信号を受信するものであり、解錠指示信号受信部５２は、親機２から送信される解錠指示信号を受信するものである。
【００９４】
駆動部５３は、施錠指示信号受信部５１により施錠指示信号が受信されると、前述したロック機構にロック動作を行わせて扉の開閉を規制し、解錠指示信号受信部５２により解錠指示信号が受信されると、前述したロック機構にロック動作の解除を行わせて扉の開閉規制を解除するものである。
【００９５】
施錠実施信号送信部５４は、駆動部５３により施錠動作が完了すると、その旨を示す施錠実施信号を親機２に送信するものである。
【００９６】
解錠実施信号送信部５５は、駆動部５３により解錠動作が完了すると、その旨を示す解錠実施信号を親機２に送信するものである。
【００９７】
次に、セキュリティシステム１のセキュリティモード設定処理を説明する。
【００９８】
図７は、セキュリティシステム１のセキュリティモード設定処理を示すフローチャートである。
【００９９】
図７に示すように、予約ボタン１９が押圧操作される（ステップ♯１でＹＥＳ）と、親機２において、モード設定部２３は、当該システム１を待機モードに設定する（ステップ♯２）。
【０１００】
その後、子機３において、非接触タグ４２がＩＤ情報読取部３８に近づけられてＩＤ情報が入力される（ステップ♯３でＹＥＳ）と、照合部４３は、この読み取ったＩＤ情報の照合を行う（ステップ♯４）。その照合の結果、登録されているものであるとき（ステップ♯５でＹＥＳ）、照合結果信号送信部４４は、照合結果信号及びＩＤ情報を親機２に送信し（ステップ♯６）、登録されているものでないとき（ステップ♯５でＮＯ）、報知音出力制御部４６は、音声出力部３６からエラー音を出力させる（ステップ♯７）。
【０１０１】
親機２において、照合結果信号受信部２２が、所定時間経過しても照合結果信号及びＩＤ情報を子機３から受信しないとき（ステップ♯８でＮＯ、♯９でＹＥＳ）、モード設定部２３は、セキュリティモードに設定し（ステップ♯１５）、所定時間以内に照合結果信号及びＩＤ情報を子機３から受信する（ステップ♯８でＹＥＳ）と、施解錠制御部２０は、施錠指示信号を電気錠駆動ユニット５０に送信する（ステップ♯１０）。なお、所定時間経過しても照合結果信号等を子機３から受信しないとき、セキュリティモードに設定するのは、居住者が施錠するのを忘れていることが考えられ、この場合の防犯性を保持するためである。
【０１０２】
電気錠駆動ユニット５０において、施錠指示信号受信部５１は、親機２から施錠指示信号を受信する（ステップ♯１１でＹＥＳ）と、駆動部５３は、ロック機構にロック動作を行わせて扉の開閉を規制し（ステップ♯１２）、施錠実施信号送信部５４は、駆動部５３により施錠動作が完了した旨を示す施錠実施信号を親機２に送信する（ステップ♯１３）。
【０１０３】
親機２において、施解錠実施信号受信部２１は、電気錠駆動ユニット５０から施錠実施信号を受信する（ステップ♯１４でＹＥＳ）と、モード設定部２３は、当該システム１をセキュリティモードに設定し（ステップ♯１５）、設定信号送信部２４は、セキュリティモードを設定した旨の設定信号を子機３に送信する（ステップ♯１６）。
【０１０４】
子機３において、設定／解除信号受信部４５は、親機２から設定信号を受信する（ステップ♯１７でＹＥＳ）と、報知音出力制御部４６は、音声出力部３６から報知音を出力させるとともに、発光制御部４７は、ランプ３９を点灯させる（ステップ♯１８）。これにより、居住者は、セキュリティモードに設定されたことを確認することができる。
【０１０５】
次に、セキュリティシステム１のセキュリティモード解除処理を説明する。
【０１０６】
図８は、セキュリティシステム１のセキュリティモード解除処理を示すフローチャートである。
【０１０７】
図８に示すように、非接触タグ４２がＩＤ情報読取部３８に近づけられてＩＤ情報が入力される（ステップ♯２０でＹＥＳ）と、照合部４３は、この読み取ったＩＤ情報の照合を行う（ステップ♯２１）。その照合の結果、登録されているものであるとき（ステップ♯２２でＹＥＳ）、照合結果信号送信部４４は、照合結果信号とＩＤ情報とを親機２に送信し（ステップ♯２３）、登録されているものでないとき（ステップ♯２２でＮＯ）、報知音出力制御部４６は、音声出力部３６からエラー音を出力させる（ステップ♯２４）。
【０１０８】
親機２において、照合結果信号受信部２２は、照合結果信号とＩＤ情報とを子機３から受信する（ステップ♯２５でＹＥＳ）と、モード設定部２３は、セキュリティモードの設定を解除し（ステップ♯２６）、解除信号送信部２５は、セキュリティモードを解除した旨を示す解除信号を子機３に送信する（ステップ♯２７）。
【０１０９】
子機３において、設定／解除信号受信部４５は、親機２から解除信号を受信する（ステップ♯２８でＹＥＳ）と、報知音出力制御部４６は、音声出力部３６から報知音を出力させるとともに、発光制御部４７は、ランプ３９を点灯させる（ステップ♯２９）。これにより、居住者は、セキュリティモードの設定が解除されたことを確認することができる。
【０１１０】
また、親機２において、ステップ♯２７の処理に続き、施解錠制御部２０は、解錠指示信号を電気錠駆動ユニット５０に送信する（ステップ♯３０）。
【０１１１】
電気錠駆動ユニット５０において、解錠指示信号受信部５２は、親機２から送信される解錠指示信号を受信する（ステップ♯３１でＹＥＳ）と、駆動部５３は、ロック機構にロック動作の解除を行わせて扉の開閉規制を解除（ステップ♯３２）し、解錠実施信号送信部５５は、駆動部５３による解錠動作が完了した旨を示す解錠実施信号を親機２に送信する（ステップ♯３３）。
【０１１２】
親機２において、施解錠実施信号受信部２１は、電気錠駆動ユニット５０から解錠実施信号を受信する（ステップ♯３４でＹＥＳ）と、施解錠制御部２０は、電気錠４が解錠状態であることを認識して終了する（ステップ♯３５）。
【０１１３】
次に、セキュリティモードが設定されていない場合の施解錠処理を説明する。
【０１１４】
図９は、セキュリティモードが設定されていない場合の解錠処理を示すフローチャートである。
【０１１５】
図９に示すように、非接触タグ４２がＩＤ情報読取部３８に近づけられてＩＤ情報が入力される（ステップ♯４０でＹＥＳ）と、照合部４３は、この読み取ったＩＤ情報の照合を行う（ステップ♯４１）。その照合の結果、登録されているものであるとき（ステップ♯４２でＹＥＳ）、照合結果信号送信部４４は、照合結果信号とＩＤ情報とを親機２に送信し（ステップ♯４３）、登録されているものでないとき（ステップ♯４２でＮＯ）、報知音出力制御部４６は、音声出力部３６からエラー音を出力させる（ステップ♯４４）。
【０１１６】
親機２において、照合結果信号受信部２２は、照合結果信号とＩＤ情報とを子機３から受信する（ステップ♯４５でＹＥＳ）と、表示制御部２６は、そのＩＤ情報に対応する画像データに係る画像を表示部８に表示させるとともに、報知音出力制御部２７は、上記ＩＤ情報に対応する報知音データに係る報知音を音入出力部１１から出力させる（ステップ♯４６）。
【０１１７】
そして、施解錠制御部２０は、解錠指示信号を電気錠駆動ユニット５０に送信する（ステップ♯４７）。
【０１１８】
電気錠駆動ユニット５０において、解錠指示信号受信部５２は、親機２から送信される解錠指示信号を受信する（ステップ♯４８でＹＥＳ）と、駆動部５３は、ロック機構によるロック動作の解除を行わせて扉の開閉規制を解除（ステップ♯４９）し、解錠実施信号送信部５５は、駆動部５３による解錠動作が完了した旨を示す解錠実施信号を親機２に送信する（ステップ♯５０）。
【０１１９】
親機２において、施解錠実施信号受信部２１は、電気錠駆動ユニット５０から解錠実施信号を受信する（ステップ♯５１でＹＥＳ）と、施解錠制御部２０は、電気錠４が解錠状態であることを認識して終了する（ステップ♯５２）。
【０１２０】
なお、セキュリティモードが設定されていない場合の施錠処理は、図９に示すステップ♯４７〜♯５１の処理において、解錠に関わる信号の授受及び解錠動作が、施錠に関わる信号の授受及び施錠動作に変わるのみで、それ以外の処理については図９に示す処理と同様である。
【０１２１】
このように、予約ボタン１９が操作されると、セキュリティモードの設定を待機し、居住者が電気錠４を施錠するときにセキュリティモードに設定するように構成したので、従来の構成において生じていた待機時間や誤報知を防止することができるとともに、この予約ボタン１９の操作によって居住者が必要と考えるときにのみセキュリティモードに設定することができる。
【０１２２】
また、居住者により解錠操作が行われると、電気錠４の解錠とセキュリティモードの解除とが行われるようにしたので、電気錠４の解錠とセキュリティモードの解除とが異なる操作で実行される構成に比して、操作の手間を省くことができる。
【０１２３】
また、セキュリティモードの設定時及びその設定解除時に、子機３において、報知音を出力したり、ランプ３９を点灯させたりしたので、セキュリティモードの設定動作及びその設定解除動作が行われたことを確認することができる。
【０１２４】
また、セキュリティモードが設定されていない場合において、電気錠４に対する施解錠操作が行われると、読み取ったＩＤ情報に対応する画像を表示部８に表示したり、報知音を出力したりするようにしたので、施解錠操作を行っている者を、室内にいる者に知らせることができる。
【０１２５】
なお、本発明は、上記実施形態に限らず、次の変形形態（１）〜（３）が採用可能である。
【０１２６】
（１）上記実施形態では、セキュリティモードに設定されたときにはランプ３９を点灯させ、セキュリティモードが解除されたときには、ランプ３９を消灯させるようにしたが、セキュリティモードの設定及びその解除が行われたときに、ランプ３９を点滅させるようにしてもよいし、ランプ３９が複数備えられている場合には、セキュリティモードに設定されているときと、セキュリティモードの設定が解除されているときとで、発光させるランプ３９の数を変えたり、発光色を変えたりするなどして、発光形態を異ならせるようにしてもよい。
【０１２７】
（２）上記実施形態では、ＩＤ情報の照合機能を子機３に搭載したが、親機２に搭載するようにしてもよい。
【０１２８】
この場合、親機２に、予めＩＤ情報を記憶するＩＤ情報記憶部を備え、ＩＤ情報読取部３８で読み取られたＩＤ情報を子機３から親機２に送信し、親機２において、この送信されたＩＤ情報が上記のＩＤ情報記憶部に登録されているか否かを照合する。そして、照合の結果、ＩＤ情報がこのＩＤ情報記憶部に登録されている場合には、図７のステップ♯１１や図８のステップ♯２６等の処理を行うようにすればよい。
【０１２９】
（３）電気錠における照合対象の情報を読み取る装置として、前述したものに限らず、例えば、子機３に、もしくは子機３の近傍に、番号キーを含む複数の操作キーを備えた入力装置を備え、この入力装置により暗証番号等を居住者により入力する装置でもよく、要は、照合対象の情報が取得できるものであれば何でもよい。
【０１３０】
【発明の効果】
以上のように、インターホン親機の操作部が操作されると、ロック機構が駆動部によりロック状態に駆動されるまでセキュリティモードの設定動作を待機し、ロック機構が駆動部によりロック状態に駆動されるとセキュリティモードに設定するようにしたので、従来のような待機時間の発生や誤報知を防止し、且つ居住者が必要と考えて操作部が操作されたときにのみ防犯用の異常検知を行うモードに設定できるセキュリティシステムを構築することができる。
【図面の簡単な説明】
【図１】セキュリティシステムの構成を示す図である。
【図２】親機の構成を示すブロック図である。
【図３】親機の外観を示す図である。
【図４】子機の構成を示すブロック図、
【図５】子機の外観図である。
【図６】電気錠駆動ユニットの構成を示すブロック図である。
【図７】セキュリティシステムのセキュリティモード設定処理を示すフローチャートである。
【図８】セキュリティシステムのセキュリティモード解除処理を示すフローチャートである。
【図９】セキュリティモードが設定されていない場合の解錠処理を示すフローチャートである。
【符号の説明】
１      セキュリティシステム
２      インターホン親機
３      ドアホン子機
４      電気錠
５      異常検出センサ
１４    制御部
１９    予約ボタン
２０    施解錠制御部
２１    施解錠実施信号受信部
２２    照合結果信号受信部
２３    モード設定部
２４    設定信号送信部
２５    解除信号送信部
２６    表示制御部
２７    報知音出力制御部
２８    画像データ記憶部
２９    報知音データ記憶部
３８    ＩＤ情報読取部
３９    ランプ
４３    照合部
４４    照合結果信号送信部
４５    設定／解除信号受信部
４６    報知音出力制御部
４７    発光制御部
４８    ＩＤ情報記憶部
４９    報知音データ記憶部
５０    電気錠駆動ユニット
５１    施錠指示信号受信部
５２    解錠指示信号受信部
５３    駆動部
５４    施錠実施信号送信部
５５    解錠実施信号送信部
【図１】
2004355152.tif 000003
【図２】
2004355152.tif 000004
【図３】
2004355152.tif 000005
【図４】
2004355152.tif 000006
【図５】
2004355152.tif 000007
【図６】
2004355152.tif 000008
【図７】
2004355152.tif 000009
【図８】
2004355152.tif 000010
【図９】
2004355152.tif 000011